(57)【特許請求の範囲】
【請求項１】
フィルムをマルチ掛けした畝に列状に植え付けられている枝豆を、前部から分草装置（１１）、掻込装置（１２）、挟持搬送装置（１３）、土落し装置（１５）、横誘導装置（１６）、収集装置（１７）で構成した作業部（３）で引抜き収穫する一条用の枝豆引抜収穫機において、
前記分草装置（１１）を構成する一方の右分草装置（６０）は、幹葉部（７a）を左右に起立させると共に絡んだ幹葉部（７a）を解く絡解部材（１９）と、畝頂部（６a）の凹凸に追従して走行する転動輪（５６）を有し、機体（２）の前部に設けたゲート（４２）から作業部（３）前端方向へ延出させた右分草取付フレーム（４９）に調節部材（５０）を装着し、
該調節部材（５０）は、前記絡解部材（１９）を上下調節できる長孔（Ｎ）を左右に備えたコ形状に形成した第１調節部材（５１）と、前記絡解部材（１９）を回動自在に支持する回動パイプ（５３）と、前記第１調節部材（５１）と前記回動パイプ（５３）を連接する第２調節部材（５２）とを備え、
前記回動パイプ（５３）に前記絡解部材（１９）の揺動アーム（５８）に設けた軸（５９）を遊嵌して前記絡解部材（１９）の揺動支点（５７）を構成するとともに、前記揺動アーム（５８）にＵ字状に形成したフォーク（７３）を介して転動輪（５６）を取付けることにより前記絡解部材（１９）と前記転動輪（５６）を上下揺動自在に支持し、
前記調節部材（５０）を前記右分草取付フレーム（４９）に締結部材（５５）を介して装着する場合に、前記長孔（Ｎ）により前記右分草装置（６０）の上下調節を行って装着可能とした
ことを特徴とする枝豆引抜収穫機。
【請求項２】
前記絡解部材（１９）の揺動運動の下限値を規制する規制具（７２）を前記揺動アーム（５８）に設けたことを特徴とする請求項１記載の枝豆引抜収穫機。
【発明の詳細な説明】
【技術分野】
【０００１】
本発明は、畝にマルチ掛けして栽培された枝豆を収穫対象とする一条用の枝豆引抜収穫機に関するものである。
【背景技術】
【０００２】
従来、圃場に栽培された枝豆を収穫する際、畝に植生された大豆を左右の挟持ベルトで挟持して後方上方に搬送しながら大豆を根ごと引抜いて収穫する方法をとっていた。
例えば、特許文献１が存在する。
【０００３】
【特許文献１】特開２００３−１１６３２１号公報
【発明の開示】
【発明が解決しようとする課題】
【０００４】
フィルムをマルチ掛けした畝に苗を列状に植え付け、幹が絡みあって収穫作業する際、それらが掻込装置の始端部あるいは、挟持搬送装置の始端部等で詰まりが生じて収穫作業が困難となっている。
更に生育途中で倒伏した作物を収穫する際、掻込装置で拾い上げることができなくなり収穫することが困難となる。
更に畝にマルチ掛けしたマルチフイルムを分草板の先端で引っ掛けて持ち上げ掻込装置あるいは、挟持搬送装置で噛み込み連続作業が困難となると共に、再利用が不可能となる。
従って作物状況によって常に効率的な収穫が行えるようになっていなければならないのであるが、この点の配慮が必ずしも十分とは言えないのである。
本発明は斯かる実状に鑑みてなされたものであり、先行する作物引抜収穫機よりも枝豆を効率的に収穫し得るものとした一条用枝豆引抜収穫機を提供することを目的とする。
【課題を解決するための手段】
【０００５】
本発明の解決しようとする課題は以上の如くであり、次にこの課題を解決するための手段を説明する。
【０００６】
即ち、請求項１においては、フィルムをマルチ掛けした畝に列状に植え付けられている枝豆を、前部から分草装置、掻込装置、挟持搬送装置、土落し装置、横誘導装置、収集装置で構成した作業部で引抜き収穫する一条用の枝豆引抜収穫機において、分草装置を構成する一方の右分草装置は、幹葉部を左右に起立させると共に絡んだ幹葉部を解く絡解部材と、畝頂部の凹凸に追従して走行する転動輪を有し、機体の前部に設けたゲートから作業部前端方向へ延出させた右分草取付フレームに調節部材を装着し、該調節部材は、絡解部材を上下調節できる長孔を左右に備えたコ形状に形成した第１調節部材と、絡解部材を回動自在に支持する回動パイプと、第１調節部材と回動パイプを連接する第２調節部材とを備え、回動パイプに絡解部材の揺動アームに設けた軸を遊嵌して絡解部材の揺動支点を構成するとともに、揺動アームにＵ字状に形成したフォークを介して転動輪を取付けることにより絡解部材と転動輪を上下揺動自在に支持し、調節部材を右分草取付フレームに締結部材を介して装着する場合に、長孔により右分草装置の上下調節を行って装着可能としたものである。
【０００７】
請求項２においては、絡解部材の揺動運動の下限値を規制する規制具を揺動アームに設けたものである。
【発明の効果】
【０００８】
本発明は以上の如く構成したので、次のような効果を奏する。
すなわち、フィルムをマルチ掛けした畝に列状に植え付けられている枝豆を、前部から分草装置、掻込装置、挟持搬送装置、土落し装置、横誘導装置、収集装置で構成した作業部で引抜き収穫する一条用の枝豆引抜収穫機において、分草装置を構成する一方の右分草装置は、幹葉部を左右に起立させると共に絡んだ幹葉部を解く絡解部材と、畝頂部の凹凸に追従して走行する転動輪を有し、機体の前部に設けたゲートから作業部前端方向へ延出させた右分草取付フレームに調節部材を装着し、該調節部材は、絡解部材を上下調節できる長孔を左右に備えたコ形状に形成した第１調節部材と、絡解部材を回動自在に支持する回動パイプと、第１調節部材と回動パイプを連接する第２調節部材とを備え、回動パイプに絡解部材の揺動アームに設けた軸を遊嵌して絡解部材の揺動支点を構成するとともに、揺動アームにＵ字状に形成したフォークを介して転動輪を取付けることにより絡解部材と転動輪を上下揺動自在に支持し、調節部材を右分草取付フレームに締結部材を介して装着する場合に、長孔により右分草装置の上下調節を行って装着可能としたので、単純な構成でマルチフイルム（４５）をマルチ掛けした畝頂部（６ａ）の凹凸面を走行する転動輪（５６）の上下動から発生する揺動運動と走行輪（１）の推進力の協働で絡解部材（１９）の揺動力が高まり倒伏、あるいは絡みあった幹葉部（７ａ）を分離・起立させて掻込装置（１２）の始端部での詰まりが解消でき連続収穫作業が可能となる。
更に敷設されたマルチフイルム（４５）を転動輪（５６）が押えて走行するため分草板（１８ａ）の先端部でフイルム（４５）を引っ掛けることが無く掻込装置（１２）あるいは、挟持搬送装置（１３）での詰まりが抑制でき連続作業が可能となると共に、敷設された姿でマルチの再利用が可能となる。
【０００９】
次に請求項２においては、絡解部材の揺動運動の下限値を規制する規制具を揺動アームに設けたので、請求項１記載の効果の他、畝頂部（６ａ）と分草板（１８ａ）の先端部の高さ調節、又は、絡解部材（１９）の傾斜姿勢の調節が容易に規制調整できる。
【発明を実施するための最良の形態】
【００１０】
以下、本発明の実施形態を図面において参照説明する。
図１は本発明の特定地域仕様一例を示す枝豆引抜収穫機の側面図。
図２は一畦二条植付時の作業状態を示す正面図で他の特定地域仕様のものである。
図３は作業部の側面図。
図４は作業部の平面図。
図５は右分草装置の取付け状態側面図。
図６は右分草装置の側面図。
図７は右分草装置の正面図である。
【００１１】
図１及び図２に示すように本例の収穫機は、マルチ掛けした畝（６）の上面に植えている枝豆（７）を収穫するものであり、左右の走行輪（１）は、畝（６）の畝溝（６ｂ）を走行する。
尚、走行輪（１）の外面はカバー（１ａ）で覆って幹葉部（７ａ）がこれに噛み込まないようにしている。
この場合、異なる畝幅にも対応できるように、走行輪（１）の一方（進行方向から見て右側）は図外の車輪幅変更機構によってその支持筒（８）及び伝動筒（９）が左右に進退するようになっている。
尚、固定側の走行輪（１）の前方には、走行輪（１）と同じ轍を進む高さ調整可能なゲージ輪（１０）が設けられており、これによって作業部（３）の高さが調整される。
【００１２】
枝豆（７）を引抜き収穫する作業部（３）は、前部から分草装置（１１）、掻込装置（１２）、挟持搬送装置（１３）、土落し装置（１５）、横誘導装置（１６）、収集装置（１７）等で構成される。
【００１３】
分草装置（１１）は、図１乃至図６に示すように掻込装置（１２）の前方に絡解部材（１９）と調節部材（５０）とで構成した右分草装置（６０）と、左側は右側より大きい分草板（１８ｂ）とで分草装置（１１）を構成している。
枝豆（７）の幹葉部（７ａ）の中に右分草装置（６０）分草板（１８ｂ）が分け入ることで、引き抜く幹葉部（７ａ）とそうでない幹葉部（７ａ）とを分け、引き抜く幹葉部（７ａ）だけを後続する掻込装置（１２）へ導くものである。
【００１４】
右分草装置（６０）は、図６図７に示すように、幹葉部（７ａ）を分草する分草板（１８ａ）に幹葉部（７ａ）を左右に起立させると共に絡んだ幹葉部（７ａ）を解く絡解部材（１９）と、更に、畝頂部（６ａ）の凹凸に追従して走行する転動輪（５６）と、絡解部材（１９）に転動輪（５６）を取付ける軸（７４）と、絡解部材（１９）の揺動を規制する規制具（７２）により右分草装置（６０）を構成している。
【００１５】
右分草装置（６０）は、図５乃至７に示すように、ゲート（４２）から作業部（３）前端方向へ延出した右分草取付フレーム（４９）に締結部材（５５）を介して調節部材（５０）を装着して上下揺動自在に支持している。
また、右分草装置（６０）の高さ調節はゲージ輪（１０）により作業姿勢を決めているが（畝頂部（６ａ）より突起付きベルト（２１）の先端部で約３０ｍｍ程度空間を設定している）。
更に、第二の高さ調節箇所として畝頂部（６ａ）の凹凸状態あるいは幹葉部（７ａ）の状況が把握しやすい作業部（３）に調節部材（５０）と、右分草取付フレーム（４９）とで上下調節を可能にしている。
【００１６】
右掻込搬送装置（１２ａ）の前方に設けた調節部材（５０）は、図６、図７に示すように、右分草取付フレーム（４９）にコ形状に形成された側面に絡解部材（１９）を上下調節できる長孔（N）を左右に備えた第１調節部材（５１）と、更に絡解部材（１９）を回動自在に支持する回動パイプ（５３）と、第１調節部材（５１）と回動パイプ（５３）を連接する第２調節部材（５２）と、回動パイプ（５３）に絡解部材（１９）の揺動を規制する調節部材（５４）とをそれぞれ溶着したものである。
【００１７】
絡解部材（１９）は、図５乃至図７に示すように転動輪（５６）の上下動を揺動運動矢印Ｓに変換する揺動アーム（５８）は、Ｌ字状に形成した板の上端に調節部材（５０）と遊嵌する軸（５９）と、一方他端には揺動範囲を規制する規制具（７２）を装着する取付け孔と、更に他下端には転動輪（５６）を取付けるＵ字状に形成したフォーク（７３）と、幹葉部（７ａ）を起立、分草、絡んだ幹葉部（７ａ）を解す分草板（１８ａ）と、杆ａ（１９ａ）、杆ｂ（１９ｂ）、杆ｃ（１９ｃ）、杆ｄ（１９ｄ）とを右分草板（１８ａ）に溶着している。
調節部材（５０）の回動パイプ（５３）と絡解部材（１９）の軸（５９）とを遊嵌によって揺動支点（５７）を構成している。
【００１８】
杆ａ（１９ａ）、杆ｂ（１９ｂ）、杆ｃ（１９ｃ）、杆ｄ（１９ｄ）は、図６、図７に示すように、揺動アーム（５８）の機外側の下端部に、棒材で逆Ｚ状の形成した始端部を揺動アーム（５８）に溶着し、その後、機外側に向かい終端部にかけて平行にした杆ａ（１９ａ）と、始端部が杆ａ（１９ａ）より上側で分草板（１８ａ）の下端に沿うように揺動アーム（５８）に溶着し、その後、後ろ上がりで終端部近傍から機体に平行に形成した棒材の杆ｂ（１９ｂ）と、更に、揺動アーム（５８）の左側面に平行で分草板（１８ａ）の背面から掻込装置（１２）の傾斜姿勢と略同一となるように後端が後ろ上がりに形成した棒材の杆ｃ（１９ｃ）と、更に、杆ｂ（１９ｂ）と対照で分草板（１８ａ）の下端に沿うように揺動アーム（５８）に溶着し、その後、掻込装置（１２）の傾斜姿勢と略同一とし、その途中から平面視で掻込装置（１２）と平行に形成した棒材の杆ｄ（１９ｄ）等を構成している。
【００１９】
杆ｂ（１９ｂ）、杆ｄ（１９ｄ）の始端部を分草板の下端部に沿わすことにより、作業走行中に幹葉部（７ａ）が絡解部材（１９）に絡まることが防止でき、更に、幹葉部（７ａ）の切れ防止となり畝頂部（６ａ）に落下した幹葉部を拾う作業が省かれて次作業の手間が簡略化あるいは省略される。
【００２０】
右分草装置（６０）が畝頂部（６ａ）の凹凸に追従して転動輪（５６）が上下動するのを絡解部材（１９）で前後動に変換した動きにより、走行輪（１）の推進力により倒伏、絡んだ枝豆（７）の幹葉部（７ａ）が起立されると同時に絡んだ幹葉部（７ａ）が解されて作業部（３）に適正な姿勢で搬送されるように掻込装置（１２）へ搬送を補助している。
【００２１】
左側の分草板（１８ｂ）は、図２と図４に示すように、比較的広巾で長大なものとなしてあり、この分草板（１８ｂ）箇所からは、幹葉部（７ａ）の比較的下部を右方に押しやるものとした比較的短い下側分草杆（１９ｅ）を後方へ向け後上がり状に延出させており、この際、分草杆（１９ｅ）の先端部は分草板（１８ｂ）の近傍箇所に固定させればよいのであり、図示例では分草板（１８ｂ）の裏面に固定された板片に固定させてある。
この分草板（１８ｂ）は、機台（２）と同体状に設けられた左側の起立状部材（２ｂ）に支持されており、この起立状部材（２ｂ）部分で前記下側分草杆（１９ｅ）より上側箇所には後方へ向け後上がり状に延出され幹葉部（７ａ）の比較的下部を右方に押しやるものとした上側分草杆（１９ｆ）が設けてある。
【００２２】
上記分草装置（１１）の他にも図２乃至図４に示すように、走行輪（１）やゲージ輪（１０）に関連した分草装置（１１ａ）、（１１ｂ）が設けてある。
右側の走行輪（１）に関連した分草装置（１１ａ）は、右側走行輪（１）下部の前方箇所に設けられるもので、伝動部（４）の一部を形成して走行輪（１）の回転中心軸保持部をなす箇所（４ａ）に前向きの支持棒部材（４ｂ）を同体状に固定し、この支持棒部材（４ｂ）の先端に前記分草板（１８ｂ）とほぼ同じ大きさの分草板（１８ｄ）を設け、この分草板（１８ｄ）の近傍箇所から複数の分草杆（１９ｇ）、（１９ｈ）を後向き上り傾斜状に延出させたものであり、機体の収穫走行中に枝豆（７）の幹葉部（７ａ）が右側走行輪（１）に絡み付くのを阻止する上で寄与するものである。
【００２３】
この際、分草板（１８ｄ）は支持棒部材（４ｂ）の先端に設けた左右向き支点軸（ａ）を介してこの支点軸（ａ）回りの揺動可能に支持され、且つこの揺動角度が複数の特定角度のうちの任意なものに固定されるものとなしている。
分草杆（１９ｇ）、（１９ｈ）は分草板（１８ｂ）と同体状に固定されており、一方の分草杆（１９ｇ）は右側走行輪（１）の右側後方に向かうに伴って漸次に大きく右横方へ張り出すように設け、他方の分草杆（１９ｈ）は右側走行輪（１）の左側後方へ向かうに伴って漸次に大きく左横方へ張り出すように設けるのであり、この際、これら分草杆（１９ｇ）、（１９ｈ）の前端部は右側走行輪（１）下部の前方に位置されると共に、右側の分草杆（１９ｇ）の前端部は略前後向き軸回りの揺動操作可能に支持されるのであり、これら分草杆（１９ｇ）、（１９ｈ）は機体の収穫走行中に枝豆（７）の幹葉部（７ａ）を右側走行輪（１）から左右へ押しやり幹葉部（７ａ）が右側走行輪（１）の側面やその周辺部材に絡み付くのを阻止するものである。
【００２４】
ゲージ輪（１０）に関連した分草装置（１１ｂ）は、図３、図４に示すように、ゲージ輪（１０）の前方箇所に設けられる分草板（１８ｅ）と、ゲージ輪（１０）の前側箇所から左側走行輪（１）の側部箇所までの機体側方に設けられる分草杆（１９i）とからなるものであり、機体の収穫走行中に枝豆（７）の幹葉部（７ａ）がゲージ輪（１０）や左側走行輪（１）とに絡み付くのを阻止するものである。
【００２５】
分草板（１８ｅ）は機台（２）に支持されたフォーク部材（１０ａ）から左右一対の支持板部材（１０ｂ）を前下がり状に延出させゲージ輪（１０）前半分を取り囲むように屈曲させてその前部を接合させ、この接合箇所に前後向き軸（ｂ）を介してこの軸（ｂ）回りの角度調整可能に装着され、機体の収穫走行中に幹葉部（７ａ）がゲージ輪（１０）に絡み付くのを阻止するものとなされる。
【００２６】
分草杆（１９i）は、前側杆部材（ｃ１）に後側杆部材（ｃ２）を伸縮自在に外嵌させたもので、前側杆部材（ｃ１）の前端部を支持板部材（１０ｂ）に略前後向き軸回りの回動自在に装着すると共に、後側杆部材（ｃ２）の後端部を機台（２）の側部に前記略前後向き軸回りの揺動角度位置の変更調整具（ｄ）を介して装着し、略前後向き軸回りの揺動位置を変更操作することで前後長さ中央部高さを任意に変更調整可能になしたものであり、略前後向き軸回りの揺動位置を変更することで任意高さに成長した枝豆（７）の幹葉部（７ａ）であってもこれを機体の収穫走行中にゲージ輪（１０）や左側走行輪（１）から横外方へ適確に押しやり幹葉部（７ａ）が左側走行輪（１）の側面部やその周辺部材に絡み付くのを阻止するものとなされている。
尚、上記した２つの分草杆（１９ｇ）、（１９ｈ）が略前後向き軸回りへ回動可能としていることは、路上走行や機体運搬時にこれを収納して全幅を抑える上でも寄与するものである。
【００２７】
掻込装置（１２）は、図１乃至４に示すように、分草装置（１１）の後方に機台（２）と同体状に設けられるもので、上下一対のプーリ（図示省略）間に張られた突起付きベルト（２１）を装着した右掻込搬送装置（１２ａ）を前低後高傾斜平面内で後方回動に構成し、右掻込搬送装置（１２ａ）に対設し、その対向面を前低後高傾斜平面内で後方回動させた左掻込搬送装置（１２ｂ）とで構成している。
突起付きベルト（２１）で引抜き対象の幹葉部（７ａ）を掻き上げて後続する挟持搬送装置（１３）に誘導するものであり、従って、対向する突起付きベルト（２１）の中心は挟持搬送装置（１３）の中心と一致させられることになる。
突起付きベルト（２１）の上面にはカバー２２が覆設されており、幹葉部（７ａ）の噛込みを防止している。
このカバー（２２）は操縦ハンドル（５）を持った操縦者が分草板（１８ａ）の先端部を目視するときの視線（ｅ）を遮らないように位置されている。
【００２８】
挟持搬送装置（１３）は、図１乃至図４に示すように、掻込装置（１２）の後方に機台（２）と同体状に設けられるもので、上下一対のプーリ（図示省略）間に張られた弾性ベルト（２３）を有する左右一対のベルト搬送部（１３ａ）、（１３ｂ）を形成し、これら搬送部（１３ａ）、（１３ｂ）の左右の弾性ベルト（２３）の対向面同士を互いに押圧状態にして共に前低後高傾斜平面内で後方回動させるものであり、挟持搬送始端（ｆ）が地面に密着するように畝（６）を被ったマルチフイルム（４５）を挟み付けない程度の高さで枝豆（７）の幹下端部の地面から凡そ１０ｃｍ以下の範囲箇所のみ或いはその一部を挟持するように位置されると共に前後位置をゲージ輪（１０）の回転中心にほぼ合致されており、掻込装置（１２）で掻き込まれた幹葉部（７ａ）の下端部近傍を弾性ベルト（２３）で挟持して地中から引き抜き、かつ、後上方へ搬送するものである。
ここで、挟持搬送装置（１３）が幹葉部（７ａ）の下端部近傍を挟持することは幹葉部（７ａ）の下部に育っている莢等を損傷させない上で寄与するものである。
また、挟持搬送始端（ｆ）が前後位置をゲージ輪（１０）の回転中心にほぼ合致されていることは、機体が畝（６）に対して傾斜してもゲージ輪（１０）が挟持搬送始端（ｆ）を傾斜前と同じ高さに保持することを可能となすものである。
弾性ベルト（２３）の押圧力は、幹葉部（７ａ）を挟持した状態で地中にある茎根（７ｂ）を引き抜くだけの力を発揮できるように設定されているが、挟持したときに幹葉部（７ａ）や莢（７ｃ）をつぶしてはならないので、表面にはスポンジ等の軟質弾性体が使用されている。
弾性ベルト（２３）の上方にはカバー（２４）が覆設されて幹葉部（７ａ）の噛込みを防止している。
【００２９】
土落し装置（１５）は、図１、図８、図９、図１０に示すように挟持搬送装置（１３）の途中の下方に設けられるもので、中心軸が垂直面内に含まれる状態で回転させられる扱歯付きドラム（２８）と、これと対向して設けられるゴム板（２９）とからなり、挟持搬送装置（１３）で搬送中の茎根（７ｂ）に作用してこれに付いている土を落とすものである。
図８はその要部を示す図１のＡ矢視図、図１０はＢーＢ断面図であるが、扱歯付きドラム（２８）は、脱穀機の扱胴のような形態をしているものであり、伝動構造を収容するハウジング（３０）からドラム（３１）が前方に回転自在に突出しており、ドラム（３１）の外周に扱歯（３２）が植設されたものである。
そして、扱歯（３２）の作用範囲内の個所にゴム板（２９）が設けられており、扱歯（３２）が茎根（（７ｂ））を叩いてもこれをゴム板（２９）が遮って逃げないようにしたものである。
【００３０】
この場合、ドラム（３１）の中心軸は挟持搬送装置（１３）の弾性ベルト（２３）の下方に、かつ、その移送方向と平面視では平行に設定されるが、側面視で前方が開くか又は後方が開く交差状態に設定されて、茎根（７ｂ）に対して徐々にしかも、すべてに作用して土を確実に落とすためである。
尚、機台（２）の固定部材に対するハウジング（３０）の取付け位置や角度は変更できるようになっており、これによって弾性ベルト（２３）との相関関係が調整可能になっている。
この他、扱歯（３２）には、長手方向に叩き棒（３２ａ）が渡されており、茎根（７ｂ）に土が塊（Ａ）となって付着しているような場合でも、これを叩き割れるようになっている。
尚、千切れた茎根（７ｂ）が扱歯付きドラム（２８）へ巻き付こうとしても、叩き棒（３２ａ）がドラム（３１）から半径方向に離れた位置にあるため、巻き付き難く、たとえ、巻き付いても、除去し易い。
【００３１】
横誘導装置（（１６））は、図１乃至図４に示すように、挟持搬送装置（１３）の左側のベルト搬送部（１３ｂ）の搬送終端に設けられており、挟持搬送装置（１３）で搬送される枝豆を収集装置（１７）まで誘導するものであり、図１０は誘導装置（１６）の要部を示す断面側面図、図１１は同じく図１０のＣ矢視図であるが、一方（左側）の弾性ベルト（２３）の終端上方に（カバー（２４）を越えて）ドラム（３３）と、爪（３４ａ）がドラム（３３）の外周に突出する送り爪（３４）とを段状に重設し、しかも幹元部の上下の送り爪（３４）、（３４）の間隔が狭く幹先側の上下の送り爪（３４）、（３４）の間隔が広くなされた状態で、葉部ドラム（３３）と送り爪（３４）を上部プーリ（２３ａ）で駆動するようにしたものである。
図１２は図１０のＤ−Ｄ断面図であるが、送り爪（３４）は全体としてリング状となされ、内孔（３４ｂ）をドラム（３３）に外嵌されて固定されており、送り爪（３４）とドラム（３３）との相対変位は内孔（３４ｂ）の内周面に形成された複数の突起（３４ｃ）をドラム（３３）に形成された透孔に嵌め込むことで規制されている。
【００３２】
そして、左側の弾性ベルト（２３）の移送面とほぼ同じ位置に、最上位の送り爪（３４）の高さまで立ち上がってドラム（３３）の外方を周回して左側方に延びる誘導板（３５）を設けると共に、前記分草杆（１９ｃ）の案内作用を継続して引き継ぎ得るように右側の弾性ベルト（２３）のカバー（２４）と同体状の部位から出て誘導板（３５）の外周を一定間隔で周回する幹葉案内杆（３６）を設けたものである。
この幹葉案内杆（３６）は、その後部の湾曲部が横誘導装置（（１６））の一部をなし、前後向き部が挟持搬送装置（１３）により搬送される幹葉部（７ａ）を横誘導装置（１６）に達するまで左側へ押しやる作用を奏するものである。
【００３３】
尚、この誘導板（３５）は、最上位の送り爪（３４）の上方を覆うカバー（３５ａ）も兼用しており、幹葉部（７ａ）が回り込むときにこの上に垂れ下がって莢（７ｃ）が脱莢したり、幹葉部（７ａ）が送り爪（３４）へ巻き付いたりするのを防いでいる。
この場合、送り爪（３４）が干渉する誘導板（３５）の個所には孔（３７）があいており、爪（３４ａ）は誘導板（３５）から出て回転することになり、挟持搬送装置（１３）で搬送されて来た幹葉部（７ａ）は、誘導板（３５）と幹葉案内杆（３６）とで形成する誘導経路（３８）に押し込まれ、送り爪（３４）の爪（３４ａ）で左側に強制的に回り込まされる。
【００３４】
収集装置（１７）は、図１乃至図４に示すように、誘導経路（３８）に続く機体（２）の左側方に設けられる収集板（３９）を主体とするものであり、誘導経路（３８）から排出された幹葉部（７ａ）をこの上に一定量溜め置くものである。
この収集板（３９）は、機体（２）側に設けられる支持軸（４０）の回りを下方回動可能に設けられており、幹葉部（７ａ）が一定量になると、自動又は手動で回動してその上に溜まった幹葉部（７ａ）を人手によって放出する。
一まとめにすることで、後の収拾作業を容易にするためである。
又、路上走行や運搬時に下方回動して全幅を抑えるためでもある（格納時は上方回動してもよい）。
【００３５】
以上の各作業部（３）は伝動部（４）によって駆動されるが、その駆動系は、走行系と作業系とに分けられる。
その構成は、この種の作業機と同じであることから、以下に図示を省略して概略の構成を説明しておく。
まず、走行系については、伝動部（４）に伝えられた動力は伝動筒（９）に収容される駆動軸によって伝動ケース（２０）から車軸（４１）に伝えられ、走行輪（１）を駆動する。
【００３６】
一方、作業系については、伝動部（４）に伝えられた動力は、挟持搬送装置（１３）の弾性ベルト（２３）の上部プーリ軸に伝えられ、弾性ベルト（２３）を回動させる。
また、上部プーリ軸の左側のものは上方に突出しており、これにドラム（３３）及び送り爪（３４）を嵌着してこれも駆動する。
更に、弾性ベルト（２３）を張る適宜なローラからは、その動力が掻込装置（１２）の突起付きベルト（２１）の上部プーリ軸に伝えられ、これによって突起付きベルト（２１）を回動させる。
更に、伝動部（４）に伝えられた動力は適宜な駆動経路をとって土落し装置（１５）の突起付きドラム（２８）も駆動する。
【００３７】
上記装備の他に、分草装置（１１）の後方辺りの機体２の前部に図１乃至図２に示すように、ゲート（４２）が設けられている。
このゲート（４２）は、掻込装置（１２）を構成する左右の突起付きベルト（２１）が幹葉部（７ａ）を対向面へ取り込んだときに変形等を引き起こさないように左右を連結し、前部に重量を付加して機体（２）のバランスを取るもので、その中心が幹葉部（７ａ）の搬送面（挟持搬送装置（１３）の弾性ベルト（２３）の合わせ面）と一致して設けられており、幹葉部（７ａ）はこのゲート（４２）を潜って後方に搬送される。
従って、ゲート（４２）は、幹葉部（７ａ）の搬送を妨げない高さに設定してある。
【００３８】
又、機体（２）の左側方には、ゲージ輪（１０）が設けられことは前述したが、当然ながら、このゲージ輪（１０）は、図１、図２、図３に示すように機体（２）に固定される収納筒（４３）にハンドル（４４）でフォーク部材（１０ａ）と共に上下するように装設されており、これによって作業部（３）の高さを設定する。
フォーク部材（１０ａ）には、ゲージ輪（１０）に付着した土砂等を掻き落とすものとしたスクレーパ（１０ｃ）が前下がり傾斜状に固設してあり、ゲージ輪（１０）が土砂の付着し易い畝溝（６ｂ）を走行してゲージ輪（１０）に土砂が付着しても、スクレーパ（１０ｃ）がこの土砂を確実に掻き落とし、土砂の付着による作業部（３）の高さの乱れを生じさせないものである。
この際、スクレーパ（１０ｃ）を前下がり状となしたことは掻き落とした土砂の落下を促進させるほか幹葉部（７ａ）の引っ掛かりを防止する上で寄与する。
【００３９】
作業部（３）の高さについては、畝頂部（６ａ）にマルチフイルム（４５）が被せられるものは、絡解部材（１９）の分草板（１８ａ）の先端がこのマルチフイルム（４５）を破らない程度に調節部材（５０）あるいは規制具（７２）で絡解部材（１９）を上下間隔あるいは傾斜角を設定される。
そして、マルチフイルム（４５）を押えるフィルム押さえ棒（４６）が図１、図２、図３に示すように枝豆（７）の収穫条を挟む両側に設けられている。
この際、フィルム押さえ棒（４６）の先端部は前上がり傾斜状となされると共にその前後位置を掻込装置（１２）の掻込開始位置（ｆ０）より後方で挟持搬送装置（１３）の挟持搬送始端（ｆ）近傍に位置される。
従って、マルチフイルム（４５）の植付孔から茎根（７ｂ）を引き抜く際にマルチフイルム（４５）が持ち上がって弾性ベルト（２３）に挟まれ或いは幹葉部の莢等が挟まれる事態が防止される。
こうして損傷を回避されたマルチフィルム（４５）は必要に応じて再使用されるのであり、再使用においては茎根（７ｂ）の引き抜かれた跡に残存するマルチフィルム（４５）に形成された空孔箇所に所要の植付けが行われる。
【００４０】
更に、各作業部（３）を照らす照明手段（４７）が図１乃至図４に示すように設けられている。
この照明手段（４７）は、深夜から早朝にかけて収穫される場合に使用されるものであって、一側の分草板（１８ａ）の先端部を照射するための照明灯（４７ａ）のほか、照射方向を変更可能となされ収集装置（１７）やその他の箇所を照射し得るものとした照明灯（４７ｂ）とを備えている。
照明灯（４７ａ）は、右分草取付フレーム（４９）の上端近傍に固定され、後者照明灯（４７ｂ）は操縦ハンドル（５）の前部上方に複数個装着されている。
【００４１】
上記した実施例において、図１乃至図７に示すように、右分草装置（６０）を形成している絡解部材（１９）の杆ｃ（１９ｃ）と前記幹葉案内杆（３６）とが幹葉案内手段をなすものであり、収穫走行中、右分草装置（６０）の右分草板（１８ａ）と左の分草板（１８ｂ）の間を通過した幹葉部（７ａ）は先ず杆ｃ（１９ｃ）、杆ｄ（１９ｄ）により後方へ向けて移動しつつ漸次に左側へ押しやられ、更に、挟持搬送装置（１３）により挟持された後にも左側へ押しやられ、この後、挟持搬送装置（１３）により搬送される過程で杆ｄ（１９ｄ）の後端に近づくと、次は幹葉案内杆（３６）により左側へ押し遣られつつ搬送され最終的には横誘導装置（１６）により横外方へ誘導され収集装置（１７）上に落下される。
このような収穫処理が行われる間、操縦者は操縦ハンドル（５）を持ち、右側の右分草装置（６０）の先端部を目視しつつ収穫条列から適当に右方へ離してこの条列に沿わせて進行させるように操縦するのであり、この際、収穫中の幹葉部（７ａ）が幹葉案内手段（１９ｄ）、（３６）により操縦者の視線（ｅ）から押し除けられるため、操縦者の視線（ｅ）はこれら幹葉部（７ａ）で遮られることは生じないのであり、従って操縦者はたとえ幹葉部（７ａ）が繁茂した枝豆（７）等の収穫においても収穫走行中に右分草装置（６０）の先端部を常に的確に見ることができ、作業部（３）を枝豆の条列に対し最適状態で作用させることができるのである。
【００４２】
上記収穫を実施する場合において、右分草装置（６０）の分草板（１８ａ）が小さいことは操縦ハンドル（５）を持った操縦者が絡解部材（１９）の分草板（１８ａ）先端部を目視する際、分草板（１８ａ）そのものが操縦者の視線ｅを遮る事態を阻止する上で効果的であり、また絡解部材（１９）を構成している杆ａ（１９ａ）、杆ｂ（１９ｂ）と杆ｃ（１９ｃ）、杆ｄ（１９ｄ）とは右分草板（１８ａ）が小さいことによる分草能力の低下を補うものとなり、また、これら杆ａ（１９ａ）、杆ｂ（１９ｂ）、杆ｃ（１９ｃ）、杆ｄ（１９ｄ）はこれら相互間に隙間を提供して、分草板（１８ａ）の先端部を見る上での操縦者の視線（ｅ）の通過を容易になし的確な収穫処理を行うと同時に、畝頂部（６ａ）の凹凸に追従して走行する転動輪（５６）の上下動を揺動アーム（５８）で前記杆ａ（１９ａ）、杆ｂ（１９ｂ）、杆ｃ（１９ｃ）、杆ｄ（１９ｄ）や右分草板（１８ａ）の上下・前後動によって倒伏した幹、絡んだ支枝を起立姿勢、解す作用をして掻込装置（１２）へ円滑に供給して連続作業する上で寄与するものである。
【００４３】
上記した杆ｃ（１９ｃ）、杆ｄ（１９ｄ）及び杆ａ（１９ａ）、杆ｂ（１９ｂ）の先端部に設けた隙間は幹葉部（７ａ）を斜め後方へ円滑に案内するものとなり、従って右分草取付フレーム（４９）の下端部に幹葉部（７ａ）が絡み付く事態は阻止される。
【００４４】
ゲージ輪（１０）の前方の分草板（１８ｅ）は、機体の収穫走行中、畝溝（６ｂ）内に繁茂した幹葉部（７ａ）を掬い上げて支持板部材（１０ｂ）の上縁に送り上げるものとなる。
支持板部材（１０ｂ）は、これの前方にある幹葉部（７ａ）に衝接して幹葉部（７ａ）が分草杆（１９ｉ）の分草作用により左外側へ移動するのを効果的に補助するものとなる。
分草杆（１９ｉ）は、これの前外側にある幹葉部（７ａ）や、分草板（１８ｂ）及び分草板（１８ｅ）及び支持板部材（１０ｂ）から斜め横後方へ送られた幹葉部（７ａ）を後方へ向かうに伴って漸次横外方へ押し遣り、これら幹葉部（７ａ）がゲージ輪（１０）や左側走行輪（１）に絡み付くのを阻止するものとなる。
【００４５】
分草板（１８ｄ）は、機体の収穫走行中に植生枝豆を右側走行輪（１）の前方で左右に掻き分けて左右の分草杆（１９ｇ）、（１９ｈ）の外側へ送るものとなり、また分草杆（１９ｇ）、（１９ｈ）は植生枝豆が右側走行輪（１）や回転中心軸保持部（４ａ）に絡み付くのを阻止する。
この際、分草杆（１９ｇ）は略前後向き軸回りへ揺動操作することにより、幹葉部（７ａ）に押し当たる高さが異なるものとなり、枝豆の種々の生育高さに適応するものとなる。
また分草板（１８ｄ）を分草杆（１９ｇ）、（１９ｈ）と共に左右向き軸（ａ）回りへ姿勢変更操作することによっても、分草板（１８ｄ）や分草杆（１９ｇ）、（１９ｈ）は植生枝豆に対するその作用範囲を変化されて、種々のその生育高さに適応するものとなる。
【図面の簡単な説明】
【００４６】
【図１】本発明の特定地域仕様一例を示す枝豆引抜収穫機の側面図である。
【図２】一畦二条植付時の作業状態を示す正面図で他の特定地域仕様のものである。
【図３】作業部の側面図である。
【図４】作業部の平面図である。
【図５】右分草装置の取付け状態側面図
【図６】右分草装置の側面図
【図７】右分草装置の正面図
【図８】図１のＡ矢視図
【図９】図１のＢーＢ断面図
【図１０】誘導装置を示す断面側面図
【図１１】図１０のＣ矢視図
【図１２】図１０のＤ−Ｄ断面図である。
【符号の説明】
【００４７】
６ａ      畝頂
１２      掻込装置
１２ａ    右掻込搬送装置
１８ａ    右分草板
１９      絡解部材
１９ａ    杆ａ
１９ｂ    杆ｂ
１９ｃ    杆ｃ
１９ｄ    杆ｄ
５０      調節部材
５１ 調節部材（第１調節部材）
５２ 調節部材（第２調節部材）
５６      転動輪
５８      揺動アーム
７２      規制具                                                                        
【図１】
0004160914.tif 000002
【図２】
0004160914.tif 000003
【図３】
0004160914.tif 000004
【図４】
0004160914.tif 000005
【図５】
0004160914.tif 000006
【図６】
0004160914.tif 000007
【図７】
0004160914.tif 000008
【図８】
0004160914.tif 000009
【図９】
0004160914.tif 000010
【図１０】
0004160914.tif 000011
【図１１】
0004160914.tif 000012
【図１２】
0004160914.tif 000013